【手続補正書】
【提出日】平成17年9月8日(2005.9.8)
【手続補正１】
【補正対象書類名】明細書
【補正対象項目名】発明の名称
【補正方法】変更
【補正の内容】
【発明の名称】撮像装置及びその制御方法
【手続補正２】
【補正対象書類名】明細書
【補正対象項目名】特許請求の範囲
【補正方法】変更
【補正の内容】
【特許請求の範囲】
【請求項１】  撮像装置本体に着脱自在に装着され、被写体からの光を結像させるためのレンズユニットと、
前記撮像装置本体内に配置され、前記レンズユニットにより結像された被写体像を光電変換して画像信号を生成する撮像手段と、
該撮像手段で撮像した画像を表示する表示手段と、
前記レンズユニットと前記撮像装置本体との着脱状態を検知する検知手段と、
該検知手段により前記レンズユニットが前記撮像装置本体から取り外されたことを検知した場合に、前記表示手段の動作を停止させる制御手段とを具備することを特徴とする撮像装置。
【請求項２】  撮像装置本体に着脱自在に装着され、被写体からの光を結像させるためのレンズユニットと、
前記撮像装置本体内に配置され、前記レンズユニットにより結像された被写体像を光電変換して画像信号を生成する撮像手段と、
該撮像手段で撮像した画像を表示する表示手段と、
前記レンズユニットと前記撮像装置本体との着脱状態を検知する検知手段と、
該検知手段により前記レンズユニットが前記撮像装置本体から取り外されたことを検知した場合に、前記レンズユニットが前記撮像装置本体から取り外された後に前記撮影手段によって撮像された画像を前記表示手段で表示しないように制御する制御手段とを具備することを特徴とする撮像装置。
【請求項３】  撮像装置本体に着脱自在に装着され、被写体からの光を結像させるためのレンズユニットと、
前記撮像装置本体内に配置され、前記レンズユニットにより結像された被写体像を光電変換して画像信号を生成する撮像手段と、
該撮像手段で撮像した画像を表示する表示手段と、
前記レンズユニットと前記撮像装置本体との着脱状態を検知する検知手段と、
該検知手段により前記レンズユニットが前記撮像装置本体から取り外されたことを検知した場合に、前記表示手段の表示状態を、前記撮像手段で撮像した画像を表示している状態から他の表示状態に切り替える制御手段とを具備することを特徴とする撮像装置。
【請求項４】  前記他の表示状態が、固定色の画像を表示する表示状態であることを特徴とする請求項３に記載の撮像装置。
【請求項５】  前記撮像手段で撮像した画像を記憶する記憶手段を更に具備し、前記他の表示状態が、前記記憶手段から読み出した画像を表示する表示状態であることを特徴とする請求項３に記載の撮像装置。
【請求項６】  撮像装置本体に着脱自在に装着され、被写体からの光を結像させるためのレンズユニットと、
前記撮像装置本体内に配置され、前記レンズユニットにより結像された被写体像を光電変換して画像信号を生成する撮像手段と、
該撮像手段で撮像した画像を表示する表示手段と、
前記撮像手段で撮像した画像を記憶する記憶手段と、
前記レンズユニットの前記撮像装置本体に対する着脱を指示する着脱指示手段と、
該着脱指示手段により、前記レンズユニットを前記撮像装置本体から取り外す指示が出された場合に、直前に前記撮像手段で撮像した画像を前記記憶手段に記憶した後、該記憶手段から読み出した画像を前記表示手段で表示する制御手段とを具備することを特徴とする撮像装置。
【請求項７】  撮像装置本体に着脱自在に装着され、被写体からの光を結像させるためのレンズユニットと、
前記撮像装置本体内に配置され、前記レンズユニットにより結像された被写体像を光電変換して画像信号を生成する撮像手段と、
該撮像手段で撮像した画像を表示する表示手段と、
前記レンズユニットの前記撮像装置本体に対する着脱を指示する着脱指示手段と、
該着脱指示手段により、前記レンズユニットを前記撮像装置本体から取り外す指示が出された場合に、前記表示手段の表示状態を、前記撮像手段で撮像した画像を表示している状態から他の表示状態に切り替える制御手段とを具備することを特徴とする撮像装置。
【請求項８】  前記他の表示状態が、固定色の画像を表示する表示状態であることを特徴とする請求項７に記載の撮像装置。
【請求項９】  前記撮像手段で撮像した画像を記憶する記憶手段を更に具備し、前記他の表示状態が、前記記憶手段から読み出した画像を表示する表示状態であることを特徴とする請求項７に記載の撮像装置。
【請求項１０】  撮像装置本体に着脱自在に装着され、被写体からの光を結像させるためのレンズユニットと、前記撮像装置本体内に配置され、前記レンズユニットにより結像された被写体像を光電変換して画像信号を生成する撮像手段と、該撮像手段で撮像した画像を表示する表示手段と、前記レンズユニットと前記撮像装置本体との着脱状態を検知する検知手段とを具備する撮像装置を制御するための撮像装置の制御方法であって、
前記検知手段により前記レンズユニットが前記撮像装置本体から取り外されたことを検知した場合に、前記表示手段の動作を停止させることを特徴とする撮像装置の制御方法。
【請求項１１】  撮像装置本体に着脱自在に装着され、被写体からの光を結像させるためのレンズユニットと、前記撮像装置本体内に配置され、前記レンズユニットにより結像された被写体像を光電変換して画像信号を生成する撮像手段と、該撮像手段で撮像した画像を表示する表示手段と、前記レンズユニットと前記撮像装置本体との着脱状態を検知する検知手段とを具備する撮像装置を制御するための撮像装置の制御方法であって、
前記検知手段により前記レンズユニットが前記撮像装置本体から取り外されたことを検知した場合に、前記レンズユニットが前記撮像装置本体から取り外された後に前記撮影手段によって撮像された画像を前記表示手段で表示しないように制御することを特徴とする撮像装置の制御方法。
【請求項１２】  撮像装置本体に着脱自在に装着され、被写体からの光を結像させるためのレンズユニットと、前記撮像装置本体内に配置され、前記レンズユニットにより結像された被写体像を光電変換して画像信号を生成する撮像手段と、該撮像手段で撮像した画像を表示する表示手段と、前記レンズユニットと前記撮像装置本体との着脱状態を検知する検知手段とを具備する撮像装置を制御するための撮像装置の制御方法であって、
前記検知手段により前記レンズユニットが前記撮像装置本体から取り外されたことを検知した場合に、前記表示手段の表示状態を、前記撮像手段で撮像した画像を表示している状態から他の表示状態に切り替えることを特徴とする撮像装置の制御方法。
【請求項１３】  前記他の表示状態が、固定色の画像を表示する表示状態であることを特徴とする請求項１２に記載の撮像装置の制御方法。
【請求項１４】  前記撮像装置は、前記撮像手段で撮像した画像を記憶する記憶手段を更に具備し、前記他の表示状態が、前記記憶手段から読み出した画像を表示する表示状態であることを特徴とする請求項１２に記載の撮像装置の制御方法。
【請求項１５】  撮像装置本体に着脱自在に装着され、被写体からの光を結像させるためのレンズユニットと、前記撮像装置本体内に配置され、前記レンズユニットにより結像された被写体像を光電変換して画像信号を生成する撮像手段と、該撮像手段で撮像した画像を表示する表示手段と、前記撮像手段で撮像した画像を記憶する記憶手段と、前記レンズユニットの前記撮像装置本体に対する着脱を指示する着脱指示手段とを具備する撮像装置を制御するための撮像装置の制御方法であって、
前記着脱指示手段により、前記レンズユニットを前記撮像装置本体から取り外す指示が出された場合に、直前に前記撮像手段で撮像した画像を前記記憶手段に記憶した後、該記憶手段から読み出した画像を前記表示手段で表示することを特徴とする撮像装置の制御方法。
【請求項１６】  撮像装置本体に着脱自在に装着され、被写体からの光を結像させるためのレンズユニットと、前記撮像装置本体内に配置され、前記レンズユニットにより結像された被写体像を光電変換して画像信号を生成する撮像手段と、該撮像手段で撮像した画像を表示する表示手段と、前記レンズユニットの前記撮像装置本体に対する着脱を指示する着脱指示手段とを具備する撮像装置を制御するための撮像装置の制御方法であって、
前記着脱指示手段により、前記レンズユニットを前記撮像装置本体から取り外す指示が出された場合に、前記表示手段の表示状態を、前記撮像手段で撮像した画像を表示している状態から他の表示状態に切り替えることを特徴とする撮像装置の制御方法。
【請求項１７】  前記他の表示状態が、固定色の画像を表示する表示状態であることを特徴とする請求項１６に記載の撮像装置の制御方法。
【請求項１８】  前記撮像装置は、前記撮像手段で撮像した画像を記憶する記憶手段を更に具備し、前記他の表示状態が、前記記憶手段から読み出した画像を表示する表示状態であることを特徴とする請求項１６に記載の撮像装置の制御方法。
【手続補正３】
【補正対象書類名】明細書
【補正対象項目名】０００１
【補正方法】変更
【補正の内容】
【０００１】
【発明の属する技術分野】
本発明は、静止画像や動画像を撮像する撮像装置及びその制御方法に関するものである。
【手続補正４】
【補正対象書類名】明細書
【補正対象項目名】００１０
【補正方法】変更
【補正の内容】
【００１０】
また、本発明に係わる撮像装置は、撮像装置本体に着脱自在に装着され、被写体からの光を結像させるためのレンズユニットと、前記撮像装置本体内に配置され、前記レンズユニットにより結像された被写体像を光電変換して画像信号を生成する撮像手段と、該撮像手段で撮像した画像を表示する表示手段と、前記レンズユニットと前記撮像装置本体との着脱状態を検知する検知手段と、該検知手段により前記レンズユニットが前記撮像装置本体から取り外されたことを検知した場合に、前記レンズユニットが前記撮像装置本体から取り外された後に前記撮影手段によって撮像された画像を前記表示手段で表示しないように制御する制御手段とを具備することを特徴としている。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
また、本発明に係わる撮像装置は、撮像装置本体に着脱自在に装着され、被写体からの光を結像させるためのレンズユニットと、前記撮像装置本体内に配置され、前記レンズユニットにより結像された被写体像を光電変換して画像信号を生成する撮像手段と、該撮像手段で撮像した画像を表示する表示手段と、前記撮像手段で撮像した画像を記憶する記憶手段と、前記レンズユニットの前記撮像装置本体に対する着脱を指示する着脱指示手段と、該着脱指示手段により、前記レンズユニットを前記撮像装置本体から取り外す指示が出された場合に、直前に前記撮像手段で撮像した画像を前記記憶手段に記憶した後、該記憶手段から読み出した画像を前記表示手段で表示する制御手段とを具備することを特徴としている。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１９
【補正方法】変更
【補正の内容】
【００１９】
また、本発明に係わる撮像装置の制御方法は、撮像装置本体に着脱自在に装着され、被写体からの光を結像させるためのレンズユニットと、前記撮像装置本体内に配置され、前記レンズユニットにより結像された被写体像を光電変換して画像信号を生成する撮像手段と、該撮像手段で撮像した画像を表示する表示手段と、前記レンズユニットと前記撮像装置本体との着脱状態を検知する検知手段とを具備する撮像装置を制御するための撮像装置の制御方法であって、前記検知手段により前記レンズユニットが前記撮像装置本体から取り外されたことを検知した場合に、前記レンズユニットが前記撮像装置本体から取り外された後に前記撮影手段によって撮像された画像を前記表示手段で表示しないように制御することを特徴としている。
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】変更
【補正の内容】
【００２３】
また、本発明に係わる撮像装置の制御方法は、撮像装置本体に着脱自在に装着され、被写体からの光を結像させるためのレンズユニットと、前記撮像装置本体内に配置され、前記レンズユニットにより結像された被写体像を光電変換して画像信号を生成する撮像手段と、該撮像手段で撮像した画像を表示する表示手段と、前記撮像手段で撮像した画像を記憶する記憶手段と、前記レンズユニットの前記撮像装置本体に対する着脱を指示する着脱指示手段とを具備する撮像装置を制御するための撮像装置の制御方法であって、前記着脱指示手段により、前記レンズユニットを前記撮像装置本体から取り外す指示が出された場合に、直前に前記撮像手段で撮像した画像を前記記憶手段に記憶した後、該記憶手段から読み出した画像を前記表示手段で表示することを特徴としている。
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】